(57)【要約】【課題】取得した信号を、異なる準拠規格のインターフェイスに対応する信号に変換することができる変換装置、情報処理システム及び変換方法を提供することにある。【解決手段】一態様の変換装置２は、他の装置に対する操作に係る信号を取得する第１ポート２４と、該第１ポート２４で取得した信号を、前記他の装置に信号を出力する第２ポート２７に対応する信号に変換する変換部とを備える変換装置２において、前記第２ポート２７は準拠規格の異なるポートを複数備え、前記第１ポート２４は、複数の第２ポート２７の夫々を特定する特定情報を取得し、前記変換部は、前記第１ポート２４で取得した特定情報に基づいて前記第１ポート２４で取得した信号を前記複数の第２ポート２７の夫々に対応する信号に変換する。【選択図】図３
2015159441.tif 000002
【特許請求の範囲】
【請求項１】
他の装置に対する操作に係る信号を取得する第１ポートと、
該第１ポートで取得した信号を、前記他の装置に信号を出力する第２ポートに対応する信号に変換する変換部とを備える変換装置において、
前記第２ポートは準拠規格の異なるポートを複数備え、
前記第１ポートは、複数の第２ポートの夫々を特定する特定情報を取得し、
前記変換部は、前記第１ポートで取得した特定情報に基づいて前記第１ポートで取得した信号を前記複数の第２ポートの夫々に対応する信号に変換するようにしてあることを特徴とする変換装置。
【請求項２】
前記第２ポートは、前記変換部で変換した信号を出力するか否かを切り替える切替部を備えることを特徴とする請求項１に記載の変換装置。
【請求項３】
前記第２ポートは、入出力端子、ＨＡ端子、シリアルポート又は赤外線通信部であることを特徴とする請求項１又は請求項２に記載の変換装置。
【請求項４】
前記第２ポートは、複数の信号の夫々及び複数の第２ポートの夫々を特定する特定情報を取得し、
前記第２ポートで取得した複数の信号の夫々を前記第１ポートに対応する信号に変換する信号変換部を備え、
前記第１ポートは、該信号変換部で変換した信号及び前記第２ポートで取得した特定情報を出力するようにしてあることを特徴とする請求項１から請求項３のいずれか１つに記載の変換装置。
【請求項５】
前記請求項１から請求項４のいずれか１つに記載の変換装置と、
該変換装置に通信網を介して接続される情報処理装置と、
前記変換装置から出力される信号により操作される操作対象機器とを備える情報処理システムにおいて、
前記情報処理装置は、
前記操作対象機器と前記特定情報とを対応づけるテーブルを前記変換装置に出力する出力部を備え、
前記第１ポートは、前記出力部で出力されたテーブルを取得し、
前記変換部は、前記第１ポートで取得した信号を前記第１ポートで取得されたテーブルに含まれる特定情報から特定される複数の第２ポートの夫々に対応する信号に変換し、
前記複数の第２ポートの夫々は、前記変換部で変換した信号を前記第１ポートで取得されたテーブルに含まれる特定情報に対応づけられた操作対象機器に出力するようにしてあることを特徴とする情報処理システム。
【請求項６】
他の装置に対する操作に係る信号を第１ポートで取得し、
該第１ポートで取得した信号を、準拠規格の異なるポートを有する複数の第２ポートの夫々に対応する信号に変換する変換装置における変換方法であって、
複数の第２ポートの夫々を特定する特定情報を前記第１ポートで取得し、
前記第１ポートで取得した特定情報に基づいて前記第１ポートで取得した信号を前記複数の第２ポートの夫々に対応する信号に変換するようにしてあることを特徴とする変換方法。
【発明の詳細な説明】
【技術分野】
【０００１】
本発明は、操作対象機器に対する操作に係る信号を変換する変換装置、情報処理システム及び変換方法に関する。
【背景技術】
【０００２】
近年、コンピュータ、携帯電話、スマートフォン等の情報処理装置から信号を出力し、出力した信号に基づいて電動カーテン、空調装置等の複数の操作対象機器を操作する情報処理システムが採用されている。しかし、従来の情報処理システムにおいては、情報処理装置と複数の操作対象機器とのインターフェイスの準拠規格が異なるため、信号の入出力を行うことが難しいという問題があった。
【０００３】
そこで、特許文献１には情報処理装置から信号を取得し、取得した信号を複数の操作対象機器における準拠規格のインターフェイスに対応する信号に変換する変換装置が開示されている。
【先行技術文献】
【特許文献】
【０００４】
【特許文献１】特開２００９−２１３１０７号公報
【発明の概要】
【発明が解決しようとする課題】
【０００５】
しかし特許文献１に記載の変換装置は同一の準拠規格のインターフェイスに対応する信号に変換するため、異なる準拠規格のインターフェイスを有する複数の操作対象機器へ信号を出力することが難しいという問題があった。
【０００６】
一つの側面では、取得した信号を、異なる準拠規格のインターフェイスに対応する信号に変換することができる変換装置、情報処理システム及び変換方法を提供することにある。
【課題を解決するための手段】
【０００７】
一態様の変換装置は、他の装置に対する操作に係る信号を取得する第１ポートと、該第１ポートで取得した信号を、前記他の装置に信号を出力する第２ポートに対応する信号に変換する変換部とを備える変換装置において、前記第２ポートは準拠規格の異なるポートを複数備え、前記第１ポートは、複数の第２ポートの夫々を特定する特定情報を取得し、前記変換部は、前記第１ポートで取得した特定情報に基づいて前記第１ポートで取得した信号を前記複数の第２ポートの夫々に対応する信号に変換するようにしてあることを特徴とする。
【０００８】
一態様の変換装置は、前記第２ポートは、前記変換部で変換した信号を出力するか否かを切り替える切替部を備えることを特徴とする。
【０００９】
一態様の変換装置は、前記第２ポートは、入出力端子、ＨＡ端子、シリアルポート又は赤外線通信部であることを特徴とする。
【００１０】
一態様の変換装置は、前記第２ポートは、複数の信号の夫々及び複数の第２ポートの夫々を特定する特定情報を取得し、前記第２ポートで取得した複数の信号の夫々を前記第１ポートに対応する信号に変換する信号変換部を備え、前記第１ポートは、該信号変換部で変換した信号及び前記第２ポートで取得した特定情報を出力するようにしてあることを特徴とする。
【００１１】
一態様の情報処理システムは、前記変換装置と、該変換装置に通信網を介して接続される情報処理装置と、前記変換装置から出力される信号により操作される操作対象機器とを備える情報処理システムにおいて、前記情報処理装置は、前記操作対象機器と前記特定情報とを対応づけるテーブルを前記変換装置に出力する出力部を備え、前記第１ポートは、前記出力部で出力されたテーブルを取得し、前記変換部は、前記第１ポートで取得した信号を前記第１ポートで取得されたテーブルに含まれる特定情報から特定される複数の第２ポートの夫々に対応する信号に変換し、前記複数の第２ポートの夫々は、前記変換部で変換した信号を前記第１ポートで取得されたテーブルに含まれる特定情報に対応づけられた操作対象機器に出力するようにしてあることを特徴とする。
【００１２】
一態様の変換方法は、他の装置に対する操作に係る信号を第１ポートで取得し、該第１ポートで取得した信号を、準拠規格の異なるポートを有する複数の第２ポートの夫々に対応する信号に変換する変換装置における変換方法であって、複数の第２ポートの夫々を特定する特定情報を前記第１ポートで取得し、前記第１ポートで取得した特定情報に基づいて前記第１ポートで取得した信号を前記複数の第２ポートの夫々に対応する信号に変換するようにしてあることを特徴とする。
【発明の効果】
【００１３】
一態様によれば、変換装置は取得した信号を、異なる準拠規格のインターフェイスに対応する信号に変換することができる。
【図面の簡単な説明】
【００１４】
【図１】情報処理システムの概要を示す模式図である。
【図２】情報処理装置のハードウェア群を示すブロック図である。
【図３】変換装置のハードウェア群を示すブロック図である。
【図４】電動カーテンのハードウェア群を示すブロック図である。
【図５】空調装置のハードウェア群を示すブロック図である。
【図６】変換装置の外観の一例を示す説明図である。
【図７】変換装置の分解図である。
【図８】ポート部及び基板の下面の一例を示す説明図である。
【図９】情報処理装置及び操作対象機器に接続した変換装置を示す説明図である。
【図１０】制御テーブルのレコードレイアウトの一例を示す説明図である。
【図１１】情報処理システムの動作を示す説明図である。
【図１２】情報処理システムの動作を示す説明図である。
【図１３】情報処理システムの動作を示す説明図である。
【図１４】情報処理装置のＣＰＵの処理手順を示したフローチャートである。
【図１５】変換装置のＣＰＵの処理手順を示したフローチャートである。
【図１６】変換装置のＣＰＵの処理手順を示したフローチャートである。
【図１７】電動カーテンのＣＰＵの処理手順を示したフローチャートである。
【図１８】空調装置のＣＰＵの処理手順を示したフローチャートである。
【図１９】実施の形態２に係る情報処理システムを示す説明図である。
【図２０】ブラインドのハードウェア群を示すブロック図である。
【図２１】実施の形態２に係る制御テーブルのレコードレイアウトの一例を示す説明図である。
【図２２】実施の形態２に係る情報処理システムの動作を示す説明図である。
【図２３】実施の形態２に係るＣＰＵの処理手順を示したフローチャートである。
【図２４】実施の形態２に係るＣＰＵの処理手順を示したフローチャートである。
【図２５】ＣＰＵの処理手順を示したフローチャートである。
【図２６】実施の形態３に係る情報処理システムを示す説明図である。
【図２７】テレビジョン受信機のハードウェア群を示すブロック図である。
【図２８】実施の形態３に係る制御テーブルのレコードレイアウトの一例を示す説明図である。
【図２９】実施の形態３に係る情報処理システムの動作を示す説明図である。
【図３０】実施の形態３に係るＣＰＵの処理手順を示したフローチャートである。
【図３１】ＣＰＵの処理手順を示したフローチャートである。
【図３２】実施の形態５に係る情報処理装置、操作対象機器に接続した変換装置を示す説明図である。
【発明を実施するための形態】
【００１５】
実施の形態１
以下実施の形態を、図面を参照して説明する。以下の説明では各図中の上下、左右を使用する。図１は情報処理システムの概要を示す模式図である。情報処理システムは情報処理装置１、変換装置２及び操作対象機器３等を備える。情報処理システムは情報処理装置１が変換装置２を介して複数の操作対象機器３を操作するシステムである。情報処理装置１と変換装置２とはインターネット、ＬＡＮまたは携帯電話網等の通信網Ｎにより相互に接続されている。変換装置２と操作対象機器３とは配線で接続されている。
【００１６】
情報処理装置１は変換装置２との間で信号の入出力を行うコンピュータであり、例えばパーソナルコンピュータ、携帯電話又はスマートフォン等である。以下では情報処理装置１が一例として、パーソナルコンピュータであるものとして説明する。
【００１７】
変換装置２は情報処理装置１、複数の操作対象機器３から取得した信号を変換して、変換した信号を複数の操作対象機器３又は情報処理装置１へ出力する。変換装置２は例えばアダプタである。
【００１８】
操作対象機器３は変換装置２から出力される信号により操作される電子機器である。操作対象機器３は例えば電動カーテン３１０、火災報知機（図示せず）、冷房装置もしくはエアーコンディショナー等の空調装置３２０、電気ポットもしくはガス湯沸かし器等の湯沸かし器（図示せず）又はベッドセンサ（図示せず）等である。以下詳細を説明する。
【００１９】
図２は情報処理装置１のハードウェア群を示すブロック図である。図２に示す情報処理装置１は、ＣＰＵ(Central Processing Unit)１１、記憶部１２、ＲＡＭ１３、操作部１４、表示出力部１５及び通信部１６を備える。
【００２０】
ＣＰＵ１１は、バスを介してハードウェア各部と接続されている。ＣＰＵ１１は例えば一又は複数のＣＰＵ又はマルチコアＣＰＵ等を備える。ＣＰＵ１１は、記憶部１２に記憶されたプログラム１２Ｐに従いハードウェアの各部を制御する。ＣＰＵ１１には、共通のバスを介して、記憶部１２、ＲＡＭ１３、操作部１４、表示出力部１５及び通信部１６が接続されている。
【００２１】
記憶部１２は例えばハードディスクまたは大容量メモリ等である。記憶部１２にはＣＰＵ１１が処理を行う際に必要とする種々のデータ、プログラム１２Ｐを格納する。
【００２２】
ＲＡＭ１３は例えばＳＲＡＭ（Static Random Access Memory）、ＤＲＡＭ（Dynamic Random Access Memory）又はフラッシュメモリ等である。ＲＡＭ１３は、記憶部としても機能し、ＣＰＵ１１による各種プログラムの実行時に発生する種々のデータを一時的に記憶する。
【００２３】
操作部１４はマウス、キーボード又はタッチパネル等の入力デバイスであり、受け付けた操作信号をＣＰＵ１１へ出力する。表示出力部１５は表示装置１７に表示させる画像データを出力する。通信部１６は、例えば無線ＬＡＮカード又は携帯電話用通信モジュール等であり、通信網Ｎを介して操作信号、操作対象機器３の状態を示す状態信号、モニタ信号を要求する要求信号等の各種信号、後述する複数の入出力部（第２ポート）２７の夫々を特定する特定情報を変換装置２との間で送受信する。各種信号は例えばＴＣＰ／ＩＰ（Transmission Control Protocol/Internet Protocol）の準拠規格に従う信号である。
【００２４】
図３は変換装置２のハードウェア群を示すブロック図である。図３に示す変換装置２は、ＣＰＵ２１、記憶部２２、ＲＡＭ２３、通信部（第１ポート）２４、入出力部２７及びリレー（切替部）２８を備える。
【００２５】
ＣＰＵ２１は、バスを介してハードウェア各部と接続されている。ＣＰＵ２１は例えば一又は複数のＣＰＵ又はマルチコアＣＰＵ等を備える。ＣＰＵ２１は、記憶部２２に記憶されたプログラム２２Ｐに従いハードウェアの各部を制御する。ＣＰＵ２１には、共通のバスを介して、記憶部２２、ＲＡＭ２３、通信部２４、インターフェイス部２６及びリレー２８が接続されている。
【００２６】
ＲＡＭ２３は例えばＳＲＡＭ、ＤＲＡＭ又はフラッシュメモリ等である。ＲＡＭ２３は、記憶部としても機能し、ＣＰＵ２１による各種プログラムの実行時に発生する種々のデータを一時的に記憶する。
【００２７】
通信部２４は、例えばＬＡＮ等の通信網Ｎに接続するネットワークインターフェイスであり、ＬＡＮポート及びその付属回路等の各種回路を含んでいる。通信部２４は、通信網Ｎを介して情報処理装置１との間で、ＴＣＰ／ＩＰの準拠規格に従う各種信号及び特定情報を送受信する。
【００２８】
記憶部２２は例えばＥＥＰＲＯＭ（Electrically Erasable Programmable Read-Only Memory）等の不揮発性メモリである。記憶部２２にはＣＰＵ２１が処理を行う際に必要とする種々のデータ、プログラム２２Ｐ及び制御テーブル（テーブル）Ｔ１を格納する。ＣＰＵ２１は操作信号及び特定情報を通信部２４で取得した場合、特定情報に基づいて操作信号を出力する入出力部２７を特定する。ＣＰＵ２１はプログラム２２Ｐに従って操作信号を特定した入出力部２７に対応する信号に変換する。
【００２９】
リレー２８はＣＰＵ２１と後述するＩ／Ｏポート（第２ポート）２５との間に介装され、リレー２８１、２８２及び２８３を有している。リレー２８は例えば、機械式リレー又は半導体リレー等である。リレー２８はＣＰＵ２１から与えられる制御信号に従って開閉し、変換した信号を出力するか否かを切り替える。
【００３０】
入出力部２７は操作対象機器３との間で信号の入出力を行うものであり、準拠規格の異なるＩ／Ｏポート２５及びインターフェイス部（第２ポート）２６を有している（以下、場合によりＩ／Ｏポート２５及びインターフェイス部２６を入出力部２７で代表する）。
【００３１】
I／Ｏポート２５はＩ／Ｏポート２５１、２５２及び２５３を備える。I／Ｏポート２５１、２５２又は２５３はリレー２８１、２８２又は２８３と電動カーテン３１０との間に介装される。Ｉ／Ｏポート２５に対応する信号は例えば制御信号である。該制御信号はパルス信号でもよい。ＣＰＵ２１は操作信号を通信部２４で取得した場合、Ｉ／Ｏポート２５１、２５２又は２５３を特定したとき、操作信号を制御信号に変換する。ＣＰＵ２１はリレー２８１、２８２又は２８３を閉じる。ＣＰＵ２１はＩ／Ｏポート２５１、２５２又は２５３から電動カーテン３１０へ制御信号を出力する。
【００３２】
インターフェイス部２６は、例えばＨＡ（Home Automation）端子であり、空調装置３２０に接続される。ＨＡ端子とは日本電機工業会規格により決められた規格に従い、操作対象機器３の作動もしくは停止の出力又は操作対象機器３の状態をモニターする端子である。インターフェイス部２６は操作対象機器３の状態をモニターするモニタ信号を空調装置３２０から取得する。操作対象機器３の状態とは例えば操作対象機器３の動作中又は停止中等である。インターフェイス部２６はモニタ信号を要求するモニタ要求信号を空調装置３２０へ出力する。モニタ信号及びモニタ要求信号は例えばスタティック信号又はダイナミック信号等である。ＣＰＵ２１はインターフェイス部２６からモニタ要求信号を空調装置３２０へ出力する。ＣＰＵ２１は操作信号を通信部２４で取得した場合、インターフェイス部２６を特定したとき、操作信号を制御信号に変換する。該制御信号は例えば矩形波の信号である。ＣＰＵ２１はインターフェイス部２６から空調装置３２０へ制御信号を出力する。なお、Ｉ／Ｏポート２７に対応する信号とインターフェイス部２６に対応する信号は夫々異なっている。
【００３３】
図４は電動カーテン３１０のハードウェア群を示すブロック図である。図４に示す電動カーテン３１０は、ＣＰＵ３１１、記憶部３１２、Ｉ／Ｏポート３１３、３１４もしくは３１５又は駆動部３１６等を備える。
【００３４】
ＣＰＵ３１１は、バスを介してハードウェア各部と接続されている。ＣＰＵ３１１は例えば一又は複数のＣＰＵ又はマルチコアＣＰＵ等を備える。ＣＰＵ３１１は、記憶部３１２に記憶されたプログラム３１Ｐに従いハードウェアの各部を制御する。ＣＰＵ３１１には、共通のバスを介して、記憶部３１２、Ｉ／Ｏポート３１３、３１４もしくは３１５又は駆動部３１６が接続されている。
【００３５】
記憶部３１２は例えばＥＥＰＲＯＭ等の不揮発性メモリである。記憶部３１２にはＣＰＵ３１１が処理を行う際に必要とする種々のデータ、プログラム３１Ｐを格納する。
【００３６】
駆動部３１６は電動カーテン３１０の開閉を行う機械機構であり、ＣＰＵ３１１から出力されるＰＷＭ信号によりモーターを駆動させることで電動カーテン３１０の開閉を行う。
【００３７】
Ｉ／Ｏポート３１３、３１４又は３１５は、変換装置２との間で制御信号を入出力するものであり、例えば入出力端子である。ＣＰＵ３１１はＩ／Ｏポート３１３で制御信号を取得した場合、駆動部３１６に電動カーテン３１０を開くようにモーターを駆動させるＰＷＭ信号を出力する。ＣＰＵ３１１はＩ／Ｏポート３１４で制御信号を取得した場合、駆動部３１６に電動カーテン３１０を閉めるようにモーターを駆動させるＰＭＷ信号を出力する。ＣＰＵ３１１はＩ／Ｏポート３１５で制御信号を取得した場合、駆動部３１６に出力するＰＷＭ信号を停止する。
【００３８】
図５は空調装置３２０のハードウェア群を示すブロック図である。図５に示す空調装置３２０は、ＣＰＵ３２１、記憶部３２２、ＲＡＭ３２３、インターフェイス部３２４及び駆動部３２５等を備える。
【００３９】
ＣＰＵ３２１は、バスを介してハードウェア各部と接続されている。ＣＰＵ３２１は例えば一又は複数のＣＰＵ又はマルチコアＣＰＵ等を備える。ＣＰＵ３２１は、記憶部３２２に記憶されたプログラム３２Ｐに従いハードウェアの各部を制御する。ＣＰＵ３２１には、共通のバスを介して、記憶部３２２、ＲＡＭ３２３、インターフェイス部３２４及び駆動部３２５が接続されている。
【００４０】
記憶部３２２は例えばＥＥＰＲＯＭ等の不揮発性メモリである。記憶部３２２にはＣＰＵ３２１が処理を行う際に必要とする種々のデータ、プログラム３２Ｐを格納する。
【００４１】
駆動部３２５はＣＰＵ３２１から出力される信号により空調装置３２０の作動又は停止を行う機械機構である。駆動部３２５はＣＰＵ３２１へ空調装置３２０の状態を示す状態情報を出力している。状態情報は例えば、空調装置３２０の動作中又は停止中である。
【００４２】
インターフェイス部３２４は、変換装置２との間でモニタ信号、モニタ要求信号又は制御信号を入出力するものであり、例えばＨＡ端子である。ＣＰＵ３２１はインターフェイス部３２４でモニタ要求信号を取得した場合、駆動部３２５から状態情報を取得する。ＣＰＵ３２１は取得した状態情報に基づいて、インターフェイス部３２４からモニタ信号を出力する。具体的にはＣＰＵ３２１は状態情報が空調装置３２０の動作中又は停止中を示していた場合、空調装置３２０の動作中又は停止中を示すモニタ信号をインターフェイス部３２４から出力する。ＣＰＵ３２１はインターフェイス部３２４で制御信号を取得した場合、駆動部３２５が空調装置３２０の動作をしていたとき、空調装置３２０を停止させる。ＣＰＵ３２１はインターフェイス部３２４で制御信号を取得した場合、駆動部３２５が空調装置３２０の停止をしていたとき、空調装置３２０を動作させる。
【００４３】
図６は変換装置２の外観の一例を示す説明図である。図６に示すように変換装置２はスイッチボックスの大きさと同程度の直方体状の箱体であり、図中の上面右側に一列に連なったＬＡＮポート２４０、２５０、２６０を備える。ＬＡＮポート２４０、２５０及び２６０は所定の色により彩色されている。例えばＬＡＮポート２４０は赤色であり、ＬＡＮポート２５０は黒色であり、ＬＡＮポート２６０は白色である。
【００４４】
図７は変換装置２の分解図である。変換装置２は、一面が開放された箱形に成形された筺体２００と、矩形状の基板２２０と、直方体状のＬＡＮポート２４０、２５０及び２６０が連なったポート部２１０と、矩形状の蓋部２３０とを備える。筺体２００は内周面から内側に突出した２組の凸部２０１及び２０２を備え、凸部２０１又は２０２の上面にはネジ孔２０３又は２０４が設けられている。ポート部２１０の前後方向の端部には上下方向に貫通した２つの貫通孔２１１が設けられている。基板２２０の前後方向の端部には上下方向に貫通した２つの貫通孔２２３が設けられている。貫通孔２１１又は２２３はネジ孔２０３又は２０４に対応づけられた位置に設けられている。
【００４５】
図８はポート部２１０及び基板２２０の下面の一例を示す説明図である。ＬＡＮポート２４０はケーブルを介して通信部２４に接続される。ＬＡＮポート２５０はケーブルを介してＩ／Ｏポート２５に接続される。ＬＡＮポート２６０はケーブルを介してインターフェイス部２６に接続される。
【００４６】
変換装置２の組み立て手順は以下の通りである。ポート部２１０及び基板２２０を筺体２００の開口部から嵌め入れ、貫通孔２１１又は２２１からネジ孔２０３又は２０４にネジを螺入し、蓋部２３０によりポート部２１０及び基板２２０の上面を覆うことで組み立てることができる。
【００４７】
図９は情報処理装置１及び操作対象機器３に接続した変換装置２を示す説明図である。上述のように組み立てられた変換装置２は情報処理装置１及び操作対象機器３に以下のように接続される。変換装置２はＬＡＮポート２４０に接続したＬＡＮケーブルを通信部１６に接続することで情報処理装置１に接続される。変換装置２はＬＡＮコネクタをＬＡＮポート２５０に挿入し、Ｉ／Ｏポート３１３、３１４又は３１５に入出力端子を接続することで電動カーテン３１０に接続される。変換装置２はＬＡＮコネクタをＬＡＮポート２６０に挿入し、インターフェイス部３２４にＨＡ端子を接続することで空調装置３２０に接続される。
【００４８】
図１０は制御テーブルＴ１のレコードレイアウトの一例を示す説明図である。制御テーブルＴ１は操作対象機器３と特定情報とを対応づけるテーブルである。制御テーブルＴ１はＩＤ列、入出力部列、操作対象機器列及び状態列等を備える。ＩＤ列には、特定情報が記憶される。特定情報は例えばＩＰアドレスである。入出力部列には複数の入出力部２７の夫々が記憶される。入出力部列は例えばＩ／Ｏポート又はインターフェイス部等が記憶される。操作対象機器列には操作対象機器３が記憶される。操作対象機器列には例えば電動カーテン、空調装置が記憶される。状態列には操作対象機器３の状態が記憶される。状態列には例えば、操作対象機器３が動作していることを示す動作中が記憶される。制御テーブルＴ１の各列は予め設定されている。ＣＰＵ１１はモニタ信号を通信部１６で取得することにより、取得したモニタ信号に基づいて制御テーブルＴ１の状態列を更新する。
【００４９】
図１１は電動カーテン３１０を動作させる情報処理システムを示す説明図である。図１２は空調装置３２０の状態を要求する情報処理システムを示す説明図である。図１３は空調装置３２０を動作させる情報処理システムを示す説明図である。以下では図１１、１２、１３を参照しながら情報処理システムの作用及び動作について説明する。図１１に示すように、情報処理装置１のＣＰＵ１１は制御テーブルＴ１を通信部１６から変換装置２へ出力する。変換装置２のＣＰＵ２１は制御テーブルＴ１を通信部２４で取得する。ＣＰＵ２１は取得した制御テーブルＴ１に基づいて通信設定を行う。具体的にはＣＰＵ２１はＩ／Ｏポート２５に接続する操作対象機器３を電動カーテン３１０に設定し、インターフェイス部２６に接続する操作対象機器３を空調装置３２０に設定する。
【００５０】
ユーザは操作部１４を操作し、電動カーテン３１０を開く操作を示すカーテンＯＮボタン（図示せず）を押下する。ＣＰＵ１１は操作部１４からＩ／Ｏポート２５１を示す特定情報と電動カーテン３１０を開く操作を示す操作信号とを取得する。ＣＰＵ１１は特定情報がインターフェイス部２６であるか否かを判定する。ＣＰＵ１１は特定情報がインターフェイス部２６でないと判定する。ＣＰＵ１１は通信部１６から電動カーテン３１０を開く操作を示す操作信号と特定情報とを出力する。
【００５１】
ＣＰＵ２１は通信部２４で特定情報及び操作信号を取得する。ＣＰＵ２１は制御テーブルＴ１を参照する。ＣＰＵ２１は特定情報と同一の特定情報に対応する入出力部２７を特定する。具体的にはＣＰＵ２１はＩ／Ｏポート２５１を特定する。ＣＰＵ２１は操作信号をＩ／Ｏポート２５１に対応する信号に変換する。具体的にはＣＰＵ２１は操作信号を制御信号に変換する。ＣＰＵ２１はＩ／Ｏポート２５１から制御信号を出力する。ＣＰＵ３１１はＩ／Ｏポート３１３で制御信号を取得する。ＣＰＵ３１は取得した制御信号に基づいて駆動部３２５を動作させる。具体的にはＣＰＵ３１は駆動部３１６に電動カーテン３１０を開くようにモーターを駆動させるＰＷＭ信号を出力する。
【００５２】
図１２に示すように、ＣＰＵ１１は通信部１６から変換装置２へインターフェイス部２６を特定する特定情報と要求信号とを出力する。変換装置２のＣＰＵ２１は要求信号を通信部２４で取得する。ＣＰＵ２１はインターフェイス部２６を特定する。ＣＰＵ２１は要求信号をモニタ要求信号に変換する。ＣＰＵ２１はインターフェイス部２６から空調装置３２０へモニタ要求信号を出力する。
【００５３】
空調装置３２０のＣＰＵ３２１はインターフェイス部３２４でモニタ要求信号を取得する。ＣＰＵ３２１は駆動部３２５から状態情報を取得する。ＣＰＵ３２１は取得した状態情報に基づいて、インターフェイス部３２４からモニタ信号及び特定情報を出力する。ＣＰＵ３２１はインターフェイス部３２４から変換装置２へ通信部２４を示す特定情報と、空調装置３２０が動作中であることを示すモニタ信号とを出力する。変換装置２のＣＰＵ２１はインターフェイス部２６で特定情報及びモニタ信号を取得する。ＣＰＵ２１は通信部２４を特定する。ＣＰＵ２１はモニタ信号を状態信号に変換する。ＣＰＵ２１は通信部２４から情報処理装置１へ状態信号及び特定情報を出力する。ＣＰＵ１１は通信部１６で状態信号及び特定情報を取得する。ＣＰＵ１１は表示出力部１５から表示装置１７へ「動作中」の文字列を表示する。
【００５４】
図１３Ａに示すように、ユーザは表示装置１７に表示された「動作中」の文字列を確認する。ユーザは操作部１４を操作し、空調装置３２０の動作の停止を示す空調ＯＦＦボタンを押下する。ＣＰＵ１１は操作部１４から特定情報と操作信号とを取得する。ＣＰＵ１１は制御テーブルＴ１を参照し、操作対象機器３の状態と同一の状態に変更する操作信号であるか否かを判定する。ＣＰＵ１１は空調装置３２０が動作中であり、操作信号が動作の停止を指示しているため、同一の状態に変更する操作信号でないと判定する。ＣＰＵ１１は通信部１６から空調装置３２０の動作の停止を示す操作信号及びインターフェイス部２６を示す特定情報を出力する。
【００５５】
ＣＰＵ２１は通信部２４で特定情報及び操作信号を取得する。ＣＰＵ２１は制御テーブルＴ１を参照する。ＣＰＵ２１はインターフェイス部２６を特定する。ＣＰＵ２１は操作信号を制御信号に変換する。ＣＰＵ２１はインターフェイス部２６から制御信号を出力する。ＣＰＵ３２１はインターフェイス部３２４で制御信号を取得する。ＣＰＵ３２１は取得した制御信号に基づいて駆動部３２５を動作させる。具体的にはＣＰＵ３２１は駆動部３２５にエアコンの動作を停止する制御信号を出力する。
【００５６】
図１３Ｂに示すように、ユーザは表示装置１７に表示された「動作中」の文字列を確認する。ユーザは操作部１４を操作し、空調装置３２０の動作の開始を示す空調ＯＦＦボタンを押下する。ＣＰＵ１１は操作部１４から特定情報及び操作信号を取得する。ＣＰＵ１１は制御テーブルＴ１を参照し、操作対象機器３の状態と同一の状態に変更する操作信号であるか否かを判定する。ＣＰＵ１１は空調装置３２０が動作中であり、操作信号が動作の開始を指示しているため、同一の状態に変更する操作信号であると判定する。ＣＰＵ２１は操作信号を変換装置２へ送信せず、操作信号の入力があるまで待機する。
【００５７】
次に、フローチャートを用いて情報処理システムの処理手順を説明する。図１４は情報処理装置１のＣＰＵ１１の処理手順を示したフローチャートである。ＣＰＵ１１は制御テーブルＴ１を通信部１６から変換装置２へ出力する（ステップＳ１１）。ＣＰＵ１１は通信部１６から変換装置２へ要求信号及び特定情報を出力する（ステップＳ１２）。ＣＰＵ１１は通信部１６で変換装置２から特定情報及び状態信号を取得する（ステップＳ１３）。ＣＰＵ１１は表示出力部１５から表示装置１７に操作対象機器３の状態を表示する（ステップＳ１４）。ＣＰＵ１１は状態信号に基づいて制御テーブルＴ１を更新する（ステップＳ１５）。ＣＰＵ１１は操作部１４から操作信号及び特定情報を取得したか否かを判定する（ステップＳ１６）。
【００５８】
ＣＰＵ１１は操作部１４から操作信号及び特定情報を取得しなかったと判定した場合（ステップＳ１６：ＮＯ）、ステップＳ１２に処理を戻し、処理を繰り返す。ＣＰＵ１１は操作部１４から操作信号及び特定情報を取得したと判定した場合（ステップＳ１６：ＹＥＳ）、特定情報がインターフェイス部２６を示しているか否かを判定する（ステップＳ１７）。ＣＰＵ１１は特定情報がインターフェイス部２６を示していないと判定した場合（ステップＳ１７：ＮＯ）、ステップＳ１９に処理を移す。ＣＰＵ１１は特定情報がインターフェイス部２６を示していると判定した場合（ステップＳ１７：ＹＥＳ）、制御テーブルＴ１を参照し、操作対象機器３の状態と同一の状態に変更する操作信号であるか否かを判定する（ステップＳ１８）。ＣＰＵ１１は操作対象機器３の状態と同一の状態に変更する操作信号でないと判定した場合（ステップＳ１８：ＮＯ）、ステップＳ１２に処理を戻し、処理を繰り返す。ＣＰＵ１１は操作対象機器３の状態と同一の状態に変更する操作信号であると判定した場合（ステップＳ１８：ＹＥＳ）、操作信号及び特定情報を通信部１６から変換装置２へ出力した後（ステップＳ１９）、ステップＳ１２に処理を戻し、処理を繰り返す。
【００５９】
図１５〜１６は変換装置２のＣＰＵ２１の処理手順を示したフローチャートである。ＣＰＵ２１は記憶部２２に予め記憶された設定を読み出し、初期設定を行う（ステップＳ２１）。ＣＰＵ２１は制御テーブルＴ１を通信部２４で取得する（ステップＳ２２）。ＣＰＵ２１は取得した制御テーブルＴ１に基づいて通信設定を行う（ステップＳ２３）。具体的にはＣＰＵ２１は取得した制御テーブルＴ１に基づいて入出力部２７に接続される操作対象機器３及び各操作対象機器３のＩＤを設定する。
【００６０】
ＣＰＵ２１は入出力部２７に操作対象機器３の接続を受け付ける（ステップＳ２４）。ＣＰＵ２１は入出力部２７に操作対象機器３の接続があるか否かを判定する（ステップＳ２５）。ＣＰＵ２１は入出力部２７に操作対象機器３の接続がないと判定した場合（ステップＳ２５：ＮＯ）、入出力部２７に接続があるまで待機する。ＣＰＵ２１は入出力部２７に操作対象機器３の接続があると判定した場合（ステップＳ２５：ＹＥＳ）、要求信号、モニタ信号、操作信号等の各種信号を取得したか否かを判定する（ステップＳ２６）。
【００６１】
ＣＰＵ２１は各種信号を取得しなかったと判定した場合（ステップＳ２６：ＮＯ）、ステップＳ２５に処理を戻す。ＣＰＵ２１は各種信号を取得したと判定した場合（ステップＳ２６：ＹＥＳ）、特定情報を取得する（ステップＳ２７）。ＣＰＵ２１は制御テーブルＴ１を参照する（ステップＳ２８）。
【００６２】
ＣＰＵ２１は操作信号を通信部２４で取得したか否かを判定する（ステップＳ２９）。ＣＰＵ２１は操作信号を通信部２４で取得した場合（ステップＳ２９：ＹＥＳ）、特定情報と同一の特定情報に対応する入出力部２７を特定する（ステップＳ３０）。ＣＰＵ２１は特定した入出力部２７がインターフェイス部２６であるか否かを判定する（ステップＳ３１）。ＣＰＵ２１は特定した入出力部２７がインターフェイス部２６であると判定した場合（ステップＳ３１：ＹＥＳ）、操作信号を制御信号に変換する（ステップＳ３２）。ＣＰＵ２１は変換した制御信号をインターフェイス部２６から出力し（ステップＳ３３）、Ｓ２５へ処理を移す。ＣＰＵ２１は特定した入出力部２７がインターフェイス部２６でないと判定した場合（ステップＳ３１：ＮＯ）、操作信号を制御信号に変換する（ステップＳ３４）。ＣＰＵ２１は特定したＩ／Ｏポート２５１、２５２及び２５３のいずれか１つから制御信号を出力し（ステップＳ３５）、Ｓ２５へ処理を移す。
【００６３】
ＣＰＵ２１は操作信号を通信部２４で取得しなかった場合（ステップＳ２９：ＮＯ）、要求信号を取得したか否かを判定する（ステップＳ３６）。ＣＰＵ２１は要求信号を取得したと判定した場合（ステップＳ３６：ＹＥＳ）、特定情報と同一の特定情報に対応する入出力部２７を特定する（ステップＳ３７）。具体的にはＣＰＵ２１はインターフェイス部２６を特定する。ＣＰＵ２１は要求信号をモニタ要求信号に変換する（ステップＳ３８）。ＣＰＵ２１はインターフェイス部２６からモニタ要求信号を出力し（ステップＳ３９）、Ｓ２５へ処理を移す。
【００６４】
ＣＰＵ２１はモニタ要求信号を取得しなかったと判定した場合（ステップＳ３６：ＮＯ）、モニタ信号を状態信号に変換する（ステップＳ３１０）。ＣＰＵ２１は状態信号を通信部２４から出力する（ステップＳ３１１）。ＣＰＵ２１は特定情報を通信部２４から出力し（ステップＳ３１２）、Ｓ２５へ処理を移す。
【００６５】
図１７は電動カーテン３１０のＣＰＵ３１１の処理手順を示したフローチャートである。ＣＰＵ３１１は制御信号を取得したか否かを判定する（ステップＳ４１）。ＣＰＵ３１１は制御信号を取得していないと判定した場合（ステップＳ４１：ＮＯ）、制御信号を取得するまで待機する。ＣＰＵ３１１は制御信号を取得したと判定した場合（ステップＳ４１：ＹＥＳ）、制御信号をＩ／Ｏポート３１３で取得したか否かを判定する（ステップＳ４２）。ＣＰＵ３１１は電動カーテン３１０を開くようにモーターを駆動させるＰＷＭ信号を駆動部３１６に出力し（ステップＳ４３）、処理をステップＳ４１に戻す。
【００６６】
ＣＰＵ３１１は制御信号をＩ／Ｏポート３１３で取得しなかったと判定した場合（ステップＳ４２：ＮＯ）、制御信号をＩ／Ｏポート３１４で取得したか否かを判定する（ステップＳ４４）。ＣＰＵ３１１は制御信号をＩ／Ｏポート３１４で取得したと判定した場合（ステップＳ４４：ＹＥＳ）、電動カーテン３１０を閉じるようにモーターを駆動させるＰＷＭ信号を駆動部３１６に出力し（ステップＳ４５）、処理をステップＳ４１に戻す。ＣＰＵ３１１は制御信号をＩ／Ｏポート３１４で取得しなかったと判定した場合（ステップＳ４４：ＮＯ）、駆動部３１６にＰＷＭ信号の出力を停止し（ステップＳ４６）、処理をステップＳ４１に戻す。
【００６７】
図１８は空調装置３２０のＣＰＵ３２１の処理手順を示したフローチャートである。ＣＰＵ３２１はインターフェイス部３２４でモニタ要求信号を取得したか否か判定する（ステップＳ５１）。ＣＰＵ３１はインターフェイス部３２４でモニタ要求信号を取得しなかったと判定した場合（ステップＳ５１：ＮＯ）、処理をステップＳ５３に移す。ＣＰＵ３２１はインターフェイス部３２４でモニタ要求信号を取得したと判定した場合（ステップＳ５１：ＹＥＳ）、特定情報及びモニタ信号をインターフェイス部３２４から変換装置２へ出力する（ステップＳ５２）。
【００６８】
ＣＰＵ３２１はインターフェイス部３２４で制御信号を取得したか否かを判定する（ステップＳ５３）。ＣＰＵ３２１はインターフェイス部３２４で制御信号を取得しなかったと判定した場合（ステップＳ５３：ＮＯ）、処理をステップＳ５１に戻す。ＣＰＵ３２１はインターフェイス部３２４で制御信号を取得したと判定した場合（ステップＳ５３：ＹＥＳ）、取得した制御信号に基づいて駆動部３２５を動作させ（ステップＳ５４）、Ｓ５１へ処理を移す。
【００６９】
なお、本実施形態におけるＩ／Ｏポート２５は３つであったが、１つ又は２つでもよく３つを超えてもよい。インターフェイス部２６は１つであったが、複数でもよい。また本実施形態において電動カーテン３１０は電動カーテン３１０の状態を示す信号を出力しなかったが、出力するようにしてもよい。
【００７０】
本実施形態によれば、変換装置２は取得した信号を、異なる準拠規格の入出力部２７に対応する信号に変換することができる。
【００７１】
本実施形態によれば、変換装置２はリレー２８を備えているため、信号の切替を必要とする操作対象機器３に信号を出力することができる。
【００７２】
本実施形態によれば、変換装置２はＩ／Ｏポート２５又はインターフェイス部２６に対応する信号に変換するため、電動カーテン３１０又は空調装置３２０等の複数の操作対象機器に対応することができる。
【００７３】
本実施形態によれば、変換装置２はモニタ信号を情報処理装置１に出力することができるため、情報処理装置１が操作対象機器３の状態をモニターすることが容易になる。
【００７４】
本実施形態によれば、制御テーブルＴ１により通信設定を行うため、異なる準拠規格の入出力部２７から信号を出力することが容易になる。
【００７５】
実施の形態２
図１９は実施の形態２に係る情報処理システムを示す説明図である。以下、特に説明する構成、作用以外の構成及び作用は実施の形態１と同等であり、簡潔のため記載を省略する。変換装置２はさらにＩ／Ｆ部（第２ポート）２９を備える。
【００７６】
Ｉ／Ｆ部２９は例えばシリアルポートであり、ブラインド３３０に接続される。シリアルポートは例えばＲＳ２３２Ｃの準拠規格であり、ＲＳ２３２Ｃケーブルに接続されることにより、シリアルデータを含む通信信号を転送する。
【００７７】
図２０はブラインド３３０のハードウェア群を示すブロック図である。図２０に示すブラインド３３０は、ＣＰＵ３３１、記憶部３３２、ＲＡＭ３３３、Ｉ／Ｆ部３３４、駆動部３３５等を備える。
【００７８】
ＣＰＵ３３１は、バスを介してハードウェア各部と接続されている。ＣＰＵ３３１は例えば一又は複数のＣＰＵ又はマルチコアＣＰＵ等を備える。ＣＰＵ３３１は、記憶部３３２に記憶されたプログラム３２Ｐに従いハードウェアの各部を制御する。ＣＰＵ３３１には、共通のバスを介して、記憶部３３２、ＲＡＭ３３３、インターフェイス部３３４及び駆動部３３５が接続されている。
【００７９】
記憶部３３２は例えばＥＥＰＲＯＭ等の不揮発性メモリである。記憶部３３２にはＣＰＵ３３１が処理を行う際に必要とする種々のデータ、プログラム３３Ｐを格納する。
【００８０】
駆動部３３５はＣＰＵ３３１から出力される信号によりブラインド３３０の開閉を行う機械機構である。駆動部３３５はＣＰＵ３３１へブラインド３３０の状態を示す状態情報を出力している。状態情報は例えば、ブラインド３３０の開いた状態又は閉じた状態である。
【００８１】
Ｉ／Ｆ部３３４は、変換装置２との間で通信信号を入出力するものであり、例えばＨＡ端子である。ＣＰＵ３３１はＩ／Ｆ部３３４でブラインド３３０を開くよう指示する通信信号を取得した場合、駆動部３３５がブラインド３３０を開く。ＣＰＵ３３１は駆動部３２５から状態情報を取得する。ＣＰＵ３３１は取得した状態情報に基づいて、Ｉ／Ｆ部３３４から通信信号を出力する。具体的にはＣＰＵ３３１は状態情報がブラインド３３０の開いた状態、閉じた状態を示していた場合、ブラインド３３０の開いた状態、ブラインド３３０の閉じた状態を示す通信信号をＩ／Ｆ部３３４から出力する。
【００８２】
図２１は実施の形態２に係る制御テーブルＴ１のレコードレイアウトの一例を示す説明図である。入出力部列には例えばＩ／Ｆ部が記憶される。操作対象機器列には例えばブラインドが記憶される。状態列には例えば閉じた状態が記憶される。閉じた状態はブラインド３３０が閉じた状態を示している。
【００８３】
図２２は実施の形態２に係る情報処理システムの動作を示す説明図である。図２２に示すようにＣＰＵ３３１はブラインド３３０の閉じた状態を示す通信信号をＩ／Ｆ部３３４から出力する。ＣＰＵ２１は通信信号をＩ／Ｆ部２９で取得する。ＣＰＵ２１は通信信号を状態信号に変換する。ＣＰＵ２１は状態信号を通信部２４から出力する。ＣＰＵ１１は状態信号を通信部１６で取得する。ＣＰＵ１１は表示出力部１５から表示装置１７に「閉じた状態」の文字列を表示する。
【００８４】
ユーザは「閉じた状態」の文字列を表示した表示装置１７を確認する。ユーザは操作部１４を操作し、ブラインド３３０を開くことを示すブラインドＯＮボタンを押下する。ＣＰＵ１１は操作部１４から特定情報と操作信号を取得する。ＣＰＵ１１は通信部１６からブラインド３３０を開くよう指示する操作信号及びＩ／Ｆ部２９を示す特定情報を出力する。
【００８５】
ＣＰＵ２１は通信部２４で操作信号及び特定情報を取得する。ＣＰＵ２１は制御テーブルＴ１を参照する。ＣＰＵ２１は特定情報と同一の特定情報に対応する入出力部２７を特定する。具体的にはＣＰＵ２１はＩ／Ｆ部２９を特定する。ＣＰＵ２１は操作信号を通信信号に変換する。ＣＰＵ２１はＩ／Ｆ部２９から通信信号を出力する。ＣＰＵ３１１はＩ／Ｆ部３３４で通信信号を取得する。ＣＰＵ３３１は取得した通信信号に基づいて駆動部３３５を動作させる。具体的にはＣＰＵ３３１は駆動部３３５にブラインド３３０を開くようにモーターを駆動させるＰＷＭ信号を出力する。
【００８６】
図２３は実施の形態３に係るＣＰＵ１１の処理手順を示したフローチャートである。ステップＳ６１以外の処理は上述の実施の形態１に係る情報処理システムと同様であるので、簡潔のため説明を省略する。ＣＰＵ１１はステップＳ１６がＹＥＳであった場合、特定情報がインターフェイス部２６又はＩ／Ｆ部２９を示しているか否かを判定する（ステップＳ６１）。ＣＰＵ１１は特定情報がインターフェイス部２６又はＩ／Ｆ部２９を示していないと判定した場合（ステップＳ６１：ＮＯ）、処理をステップＳ１９に移す。ＣＰＵ１１は特定情報がインターフェイス部２６又はＩ／Ｆ部２９を示していると判定した場合（ステップＳ６１：ＹＥＳ）、処理をステップＳ１８に移す。
【００８７】
図２４は実施の形態３に係るＣＰＵ２１の処理手順を示したフローチャートである。ステップＳ２１〜３１２の処理は上述の実施の形態１に係る情報処理システムと同様であるので、簡潔のため説明を省略する。ＣＰＵ２１はステップＳ３１がＮＯであった場合、特定した入出力部２７がＩ／Ｏポート２５であるか否かを判定する（ステップＳ７１）。ＣＰＵ２１は特定した入出力部２７がＩ／Ｏポート２５であると判定した場合（ステップＳ７１：ＹＥＳ）、処理をステップＳ３４に移す。ＣＰＵ２１は特定した入出力部２７がＩ／Ｏポート２５でないと判定した場合（ステップＳ７１：ＮＯ）、操作信号を通信信号に変換する（ステップＳ７２）。ＣＰＵ２１はＩ／Ｆ部２９から通信信号を出力し（ステップＳ７３）、処理をステップＳ２５に移す。
【００８８】
ＣＰＵ２１はステップＳ３６がＮＯであった場合、モニタ信号を取得したか否かを判定する（ステップＳ７４）。ＣＰＵ２１はモニタ信号を取得したと判定した場合（ステップＳ７４：ＹＥＳ）、処理をステップＳ３１０に移す。ＣＰＵ２１はモニタ信号を取得しなかったと判定した場合（ステップＳ７４：ＮＯ）、通信信号を状態信号に変換する（ステップＳ７５）。ＣＰＵ２１は状態信号を通信部２４から出力する（ステップＳ７６）。ＣＰＵ２１は特定情報を通信部２４から出力し（ステップＳ７７）、処理をステップＳ２５に移す。
【００８９】
図２５はＣＰＵ３３１の処理手順を示したフローチャートである。ＣＰＵ３３１は通信信号をＩ／Ｆ部３３４で取得したか否かを判定する（ステップＳ８１）。ＣＰＵ３３１は通信信号をＩ／Ｆ部３３４で取得しなかったと判定した場合（ステップＳ８１：ＮＯ）、通信信号を取得するまで待機する。ＣＰＵ３３１は通信信号をＩ／Ｆ部３３４で取得したと判定した場合（ステップＳ８１：ＹＥＳ）、ＣＰＵ３３１は通信信号に基づいて駆動部３３５を動作させる（ステップＳ８２）。ＣＰＵ３３１は状態情報を含む通信信号をＩ／Ｆ部３３４から出力し（ステップＳ８３）、処理をステップＳ８１に移す。
【００９０】
本実施形態によれば、変換装置２はＩ／Ｆ部２９に対応する信号に変換するため、赤外線センサにさらに対応することができる。
【００９１】
実施の形態３
図２６は実施の形態３に係る情報処理システムを示す説明図である。以下、特に説明する構成、作用以外の構成及び作用は実施の形態２と同等であり、簡潔のため記載を省略する。変換装置２はさらに赤外線送信部（第２ポート、赤外線通信部）２９１を備える。
【００９２】
赤外線送信部２９１はＡＥＨＡ(Association for Electric Home Appliances)等の規格により定められ、赤外線信号を送信（出力）することによりテレビジョン受信機３４０を遠隔操作する。
【００９３】
図２７はテレビジョン受信機３４０のハードウェア群を示すブロック図である。図２７に示すテレビジョン受信機３４０は、ＣＰＵ３４１、記憶部３４２、ＲＡＭ３４３、赤外線受信部３４４及び表示部３４５等を備える。
【００９４】
ＣＰＵ３４１は、バスを介してハードウェア各部と接続されている。ＣＰＵ３４１は例えば一又は複数のＣＰＵ又はマルチコアＣＰＵ等を備える。ＣＰＵ３４１は、記憶部３４２に記憶されたプログラム３４Ｐに従いハードウェアの各部を制御する。ＣＰＵ３４１には、共通のバスを介して、記憶部３４２、ＲＡＭ３４３、赤外線受信部３４４、表示部３４５が接続されている。
【００９５】
記憶部３４２は例えばＥＥＰＲＯＭ等の不揮発性メモリである。記憶部３４２にはＣＰＵ３４１が処理を行う際に必要とする種々のデータ、プログラム３４Ｐを格納する。
【００９６】
表示部３４５は通信部（図示せず）から受信した画像データをＣＰＵ３４１の制御信号に従って表示する。赤外線受信部３４４は赤外線信号を受信（取得）する。
【００９７】
図２８は実施の形態３に係る制御テーブルＴ１のレコードレイアウトの一例を示す説明図である。入出力部列には例えば赤外線送信部が記憶される。操作対象機器列には例えばテレビジョンが記憶される。テレビジョンはテレビジョン受信機３４０を示す。
【００９８】
図２９は実施の形態３に係る情報処理システムの動作を示す説明図である。図２９に示すようにユーザは操作部１４を操作し、テレビジョン受信機３４０の動作を示すテレビＯＮボタンを押下する。ＣＰＵ１１は操作部１４から特定情報と操作信号とを取得する。ＣＰＵ１１は通信部１６からテレビジョン受信機３４０の動作を示す操作信号及び赤外線送信部２９１を示す特定情報を出力する。
【００９９】
ＣＰＵ２１は通信部２４で特定情報及び操作信号を取得する。ＣＰＵ２１は制御テーブルＴ１を参照する。ＣＰＵ２１は赤外線送信部２９１を特定する。ＣＰＵ２１は操作信号を赤外線信号に変換する。ＣＰＵ２１は赤外線送信部２９１から赤外線信号を送信する。ＣＰＵ３４１は赤外線受信部３４４で赤外線信号を受信する。ＣＰＵ３４１は受信した赤外線信号に基づいて表示部３４５を表示する。
【０１００】
図３０は実施の形態３に係るＣＰＵ２１の処理手順を示したフローチャートである。ステップＳ２１〜７７の処理は上述の実施の形態２に係る情報処理システムと同様であるので、簡潔のため説明を省略する。ＣＰＵ２１はステップＳ７１がＮＯであった場合、特定した入出力部２７が赤外線送信部２９１であるか否かを判定する（ステップＳ１０１）。ＣＰＵ２１は特定した入出力部２７が赤外線送信部２９１でないと判定した場合（ステップＳ１０１：ＮＯ）、処理をステップＳ７２に移す。ＣＰＵ２１は特定した入出力部２７が赤外線送信部２９１であると判定した場合（ステップＳ１０１：ＹＥＳ）、操作信号を赤外線信号に変換する（ステップＳ１０２）。ＣＰＵ２１は赤外線送信部２９１から赤外線信号を送信し（ステップＳ１０３）、処理をステップＳ２５に移す。
【０１０１】
図３１はＣＰＵ３４１の処理手順を示したフローチャートである。ＣＰＵ３４１は赤外線信号を赤外線受信部３４４で受信したか否かを判定する（ステップＳ１１１）。ＣＰＵ３４１は赤外線信号を赤外線受信部３４４で受信しなかったと判定した場合（ステップＳ１１１：ＮＯ）、赤外線信号を受信するまで待機する。ＣＰＵ３４１は赤外線信号を赤外線受信部３４４で受信したと判定した場合（ステップＳ１１１：ＹＥＳ）、赤外線信号に基づいて表示部３４５を表示し（ステップＳ１１２）、処理をステップＳ１１１に移す。
【０１０２】
なお、赤外線通信部は信号を受信するようにしてもよい。その場合、テレビジョン受信機３４０はテレビジョン受信機の状態を示す信号を変換装置２へ送信する。
【０１０３】
本実施形態によれば、変換装置２は赤外線送信部２９１に対応する信号に変換するため、赤外線送信部２９１にさらに対応することができる。
【０１０４】
実施の形態４
図３２は実施の形態４に係る情報処理装置、操作対象機器に接続した変換装置を示す説明図である。以下、特に説明する構成、作用以外の構成及び作用は実施の形態１と同等であり、簡潔のため記載を省略する。変換装置２はポート部２１０を取り外し、Ｉ／Ｏポート２５と電動カーテン３１０とを配線により直接接続し、情報処理装置１と通信部２４とをＬＡＮケーブルにより直接接続し、空調装置３２０とインターフェイス部２６とを配線により直接接続している。
【０１０５】
なお、本実施形態において変換装置２は通信部２４とインターフェイス部２６とを配線により操作対象機器３に接続したが、Ｉ／Ｆ部２９と操作対象機器３とを直接接続してもよい。
【０１０６】
なお、本実施形態において変換装置２はＩ／Ｏポート２５、インターフェイス部２６、Ｉ／Ｆ部２９又は赤外線通信部２９１に対応する信号に変換したがこれに限られるものではない。例えば、変換装置２はＡＶ端子、ＵＳＢ端子、圧着端子又はＶＧＡ端子等に対応する信号に変換してもよい。
【０１０７】
なお、本実施形態において変換装置２はＩ／Ｏポート２５、インターフェイス部２６、Ｉ／Ｆ部２９及び赤外線通信部２９１を備えたが、変換装置２はＩ／Ｏポート２５、インターフェイス部２６、Ｉ／Ｆ部２９及び赤外線通信部２９１の内いずれか２種類以上を備えてもよい。
【０１０８】
また本実施形態における変換装置２は入出力部２７を備えたが、入出力部２７の他に端子を取り付けてもよい。また変換装置２の入出力部２７は着脱可能であってもよい。
【０１０９】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【０１１０】
１１  ＣＰＵ
１２  記憶部
１３  ＲＡＭ
１４  操作部
１５  表示出力部
１６  通信部
２１  ＣＰＵ
２２  記憶部
２３  ＲＡＭ
２４  通信部（第１ポート）
２５  I／Ｏポート（第２ポート）
２６  インターフェイス部（第２ポート）
２７  入出力部（第２ポート）
２８  リレー（切替部）
２９  Ｉ／Ｆ部（第２ポート）
２９１  赤外線送信部（赤外通信部、第２ポート）
Ｔ１  制御テーブル（テーブル）
【図１】
2015159441.tif 000003
【図２】
2015159441.tif 000004
【図３】
2015159441.tif 000005
【図４】
2015159441.tif 000006
【図５】
2015159441.tif 000007
【図６】
2015159441.tif 000008
【図７】
2015159441.tif 000009
【図８】
2015159441.tif 000010
【図９】
2015159441.tif 000011
【図１０】
2015159441.tif 000012
【図１１】
2015159441.tif 000013
【図１２】
2015159441.tif 000014
【図１３】
2015159441.tif 000015
【図１４】
2015159441.tif 000016
【図１５】
2015159441.tif 000017
【図１６】
2015159441.tif 000018
【図１７】
2015159441.tif 000019
【図１８】
2015159441.tif 000020
【図１９】
2015159441.tif 000021
【図２０】
2015159441.tif 000022
【図２１】
2015159441.tif 000023
【図２２】
2015159441.tif 000024
【図２３】
2015159441.tif 000025
【図２４】
2015159441.tif 000026
【図２５】
2015159441.tif 000027
【図２６】
2015159441.tif 000028
【図２７】
2015159441.tif 000029
【図２８】
2015159441.tif 000030
【図２９】
2015159441.tif 000031
【図３０】
2015159441.tif 000032
【図３１】
2015159441.tif 000033
【図３２】
2015159441.tif 000034